(57)【要約】【課題】この発明は、心臓病や喘息など突然の発症に対処する為に、救急薬の所持を義務付けられていたり、定期的に病院へ通院している人、又は突発的な入院の可能性がある人が、救急薬や通院している病院の診察券等を身に着けている事が分かるような形で、且つ取り扱い易いように考えた、薬入れと診察券や健康保険証などのカード入れを一体化したケースを提供する。【解決手段】心臓病や喘息など突如発作を起こす等の疾患を持っている人が、常に身に付けている必要の有る救急薬や日常の常用薬等の薬剤を、簡単に区分けして出し入れをすることの出来る薬収納構造（Ｂ）と、その疾患の治療のため通っている病院の診察券や健康保険証等を入れるためのカード収納構造（Ｃ）を、両方一緒に所持出来るように収納構造を一体化させ、分かり易い所持形態で常時携帯出来るようにした救急薬・診察券などの一体収納容器。【選択図】    図５
2007054585.tif 000002
【特許請求の範囲】
【請求項１】
心臓病や喘息など突如発作を起こす等の疾患を持っている人が、常に身に付けている必要の有る救急薬や日常の常用薬等の薬剤と、その疾患の治療のため通っている病院の診察券や健康保険証等を、両方一緒に所持・携帯出来るように収納構造を一体化させ、分かり易い所持形態で、常時携帯出来るようにした、救急薬などの薬剤と診察券などの一体収納容器。
【発明の詳細な説明】
【技術分野】
【０００１】  この発明は、心臓病や喘息など突然の発症に対処する為に救急薬の所持を義務付けられていたり、定期的に病院へ通院している人、又は突発的な入院の可能性がある人が、身に着けている事が分かるような形で且つ取り扱い易いように考えた、薬入れと診察券や健康保険証などのカード入れを一体化したケースに関するものである。
【背景技術】
【０００２】  心臓病や喘息など突如発作を起こす等の疾患を持っていて、ニトロなどの救急薬を常時所持している人が、その救急薬等の薬剤を携帯している方法は、薬袋又は薬剤を財布やバッグに入れているか専用の薬ケースに入れている場合が多い。専用の薬ケースとしてはペンダント型などの薬ケースがある。【０００３】  又、診察券の携帯に関しては、病院に通院している人でも通常状態の時は、診察券や健康保険証は常時携帯していないか、又は携帯している場合でも財布やパスケース、カード入れ等に入れている場合が多い。
又、救急薬を所持している場合でも、救急薬とは違う別の所に入れて持っている場合が多い。
【発明の開示】
【発明が解決しようとする課題】
【０００４】  心臓病や喘息など突如発作を起こす疾患を持っていて、ニトロなどの救急薬を常時所持している人が、救急薬を服用しなければならない救急事態が発生した時に、症状が軽く自分で薬剤を取り出す等の処置ができる時は、どのような所持の仕方をしていても問題は起こり難いと考えられる。
しかし、その症状が酷く自分で処置出来ず、他の人の助けが必要となり救急薬の処方を依頼した時でも、救急薬を分かりにくい探しにくい所に入れて所持していると探すのに手間取り処置が遅れてしまう危険性がある。
又、更に症状が重症で、本人が救護してくれる人に何も説明できない場合は、他人から見ると救急の時に使用する薬があるのかどうか分からないし、身体や持ち物を探って有無を調べようと思っても、救護する人の立場からして、見も知らずの他人の身体や持ち物を探るには躊躇せざるをえない等の問題があり、折角救急薬を持っていながら手遅れになってしまう恐れがある。【０００５】  又、症状が酷く救急患者として医療機関への搬送が必要となった場合、近くに常時通院治療を受けている行きつけの病院があっても、救急車で搬送される場合の多くは最寄の救急指定病院であり、そこが対応できない場合は救急隊員がどこか受け入れ先を探す等している間に貴重な時間を失う場合もある。
こうしたことを防止するためにも行きつけの病院の診察券を容易に探り当て易い形で常に持ち歩くようにし、緊急の救急事態が起こった場合、速やかに診察券を提示出来ればその病院と連絡を取り適切な医療機関への搬送又は医療措置を迅速に受けることが出来るし、救急隊員も受け入れ先の病院を探すのに負担を少なくする事が出来る。【０００６】  継続して医療機関にかかっている場合、月一回健康保険証を提示する必要が有るが忘れがちである。又、遠出した先で緊急ではじめての病院に飛び込まざるを得ない時に、健康保険証がないと健康保険の適用が受けられず、医療費の負担がふえてしまう。
【課題を解決するための手段】
【０００７】  本発明は上記の問題を解決する為に、心臓病や喘息など突如発作を起こす等の疾患を持っている人が、常に身につけている必要の有るニトロ等の救急薬又は救急薬と日常の常用薬を、簡単に薬別に区分けして出し入れする事の出来る薬収納構造（Ｂ）と、その疾患の治療のため通っている病院の診察券や健康保険証などを入れるためのカード収納構造（Ｃ）を一体化させ、分かり易い所持形態で常時携帯できるようにした、救急薬・診察券などの一体収納容器を提供するものである。
【発明の効果】
【０００８】  図１に示すように、本体（Ａ）は救急薬又は救急薬と日常の常用薬を診察券や健康保険証と一体にして携帯できるので、これを首から下げる等誰がみても分かりやすく扱い易い形で常に身につけるようにする事により、家または外出先で救急事態が発生し、他人の助けを借りるようになった時でも、外から見て分かり易い形態で所持していれば救護してくれる人がケースを見付けて救急薬の投与、又は診察券をみて病院への連絡等の処置をしてくれる等、適切な対応を速やかに受けることが出来る。
又、救急車で医療機関への搬送や緊急入院の必要が有るときは、診察券の有る病院と連絡を取る等して適切な応急処置と、適切な医療機関の選択と搬送が可能になるし、その時にも診察券や健康保険証が有れば身元がはっきり判ることにより、家族とも速やかに連絡が取れる。
これにより救急薬の常時携帯を義務付けられている病人にとっても、診察券や健康保険証を一緒にして本体（Ａ）に入れて身に着けて携帯する事が出来るので、安心して外出できる。
又常に身につけるように習慣付けることにより、病院に診察を受けに行った時に診察券や保険証忘れを防止することが出来る。
【発明を実施するための最良の形態】
【実施例１】
【０００９】以下、本発明の実施の形態について説明する。
（イ）救急薬だけ又は救急薬と日常の常用薬を入れる薬収納機能と、病院の診察券や健康      保険証等を入れるカード収納機能を、図１に示す様に一体化して備えた容器である      本体（Ａ）である。
（ロ）図２に示すように、本体（Ａ）図１は、隔壁（１）を介して表面に薬を入れる薬収      納構造（Ｂ）、裏面に診察券や健康保険証等を入れるカード収納構造（Ｃ）となっ      ている。
（ハ）図３図４図５に示すように、薬剤を入れる部分の薬収納構造（Ｂ）の蓋である表フ      タ（２ａ）は、蝶番部（８ａ）を介して開閉可能である。
薬収納構造（Ｂ）と薬収納構造（Ｂ）の蓋である表フタ（２ａ）の開閉部は、止め      具（３ａ）で薬収納構造（Ｂ）に止めるようになっている。
（ニ）図５に示すように薬収納構造（Ｂ）は、救急薬のみ又は救急薬と日常の常用薬をそ      の服用形態に応じて区分けして入れられる様に、仕切板（５ａ）で小容器（４ａ）      に仕切られている。
夫々の小容器（４ａ）は、小容器（４ａ）毎に、薬を取り出すのに開閉が容易なよ      うに先端を内方向に曲折させた押さえ部を有する内フタ（６ａ）を設けている。
又、内フタ（６ａ）は、小容器（４ａ）毎に分割されたものではなく、小容器全体      を覆うように一体化された蓋であっても良い
（ホ）図６図７に示すように、病院の診察券や健康保険証等を入れる部分のカード収納構      造（Ｃ）の蓋である裏フタ（７）は、蝶番部（８ｂ）を介して開閉可能である。
カード収納構造（Ｃ）とカード収納構造（Ｃ）の蓋である裏フタ（７）の開閉部は      、止め具（３ｂ）でカード収納構造（Ｃ）に止めるようになっている。カード収納      構造（１４）におけるカード（１４）の収納状態の断面図を図８に示す。
（ヘ）図６図７に示すように、カード収納構造（Ｃ）にはカードを取り出し易くするため      に、カード取出し口（１１）に近い部分の底面に板状のバネ（１０ａ）を設けてお      り、板状のバネ（１０ａ）の弾性を利用して板状のバネ（１０ａ）に乗っているカ      ードの縁を上に押し上げる機能を有している。
（ト）図９に示すように裏フタ（７）を開けた時に、カード取出し口（１１）に近い部分      のカードの縁が板状のバネ（１０ａ）により少し持ち上がり、カードを楽に取り出      せるようにしてある。【００１０】  本発明は以上のような構造で、発明を使用する時は薬収納構造（Ｂ）に救急薬などの薬剤を入れ、カード収納構造（Ｃ）には診察券等を入れておき、首から下げる等の分かり易い方法で身に着けて日常生活時や外出時などに携帯する事により、救急事態が起きた時に薬剤を迅速に取り出し、救急事態に速やかに対処出来る。
又、見ず知らずの他人の世話にならざるを得ない時でも目に付くような形で携帯することにより、薬剤や診察券の在り処がすぐに分かり、適切な対応が期待でき、外出する時も心配なく外出することが出来る。
【実施例２】
【００１１】実施例２として次のように構成することが出来る。
（イ）救急薬だけ又は救急薬と日常の常用薬を入れる薬収納機能と、病院の診察券や健康      保険証等を入れるカード収納機能を一体化して備えた、ブックカバー状の本体（Ｄ      ）図１０である。
（ロ）図１０に示すように、ブックカバー状の本体（Ｄ）は、カバー（１２）と救急薬だ      け又は救急薬と日常の常用薬を入れる薬収納構造（Ｂ）と、病院の診察券や健康保      険証等を入れるカードホルダー（１３）で構成されている。
（ハ）図１１に示すように、救急薬だけ又は救急薬と日常の常用薬を入れる薬収納構造（      Ｂ）は、カバー（１２）の表表紙（１２ａ）の内側に接合されている。
（ニ）図１０図１１図１２に示すように、ブックカバー状の本体（Ｄ）の薬を入れる部分      の薬収納構造（Ｂ）の蓋である表フタ（２ｂ）は、蝶番部（８ｃ）を介して開閉可      能である。
薬収納構造（Ｂ）と薬収納構造（Ｂ）の蓋である表フタ（２ｂ）の開閉部は、止め      具（３ｃ）で薬収納構造に止めるようになっている。
（ホ）図１１図１２に示すように、薬収納構造（Ｂ）は、救急薬のみ又は救急薬と日常の      常用薬をその服用形態に応じて区分けして入れられる様に、仕切板（５ｂ）で小容      器（４ｂ）に仕切られている。
夫々の小容器（４ｂ）は、小容器（４ｂ）毎に、薬を取り出すのに開閉が容易なよ      うに先端を内方向に曲折させた押さえ部を有する内フタ（６ｂ）を設けている。
又、内フタ（６ｂ）は、小容器（４ｂ）毎に分割されたものではなく、小容器全体      を覆うように一体化された蓋であっても良い。
（ヘ）図１１図１３に示すように、病院の診察券や健康保険証等を入れるカードホルダー      （１３）は複数枚設けてあり、診察券や健康保険証等のカード（１４）を入れて外      から見えるように、透明又は半透明の材質で出来ている。
（ト）図１４に示すように、カードホルダー（１３）は、診察券等のカードの挿入口とし      てのカード差込口（１５）の反対側を底部（１６）として曲折し、左右を溶着又は      接着した袋状をしている。
（チ）図１３図１４に示すように、カードホルダー（１３）に病院の診察券や健康保険証      等のカードを収納するための挿入口としてのカード差込口（１５）は、背表紙（１      ２ｂ）側に向いて開口している。
（リ）図１３図１４に示すように、カードホルダー（１３）は、診察券等のカードの挿入      口としてのカード差込口（１５）側のカードホルダーの下縁（１８）を、背表紙（      １２ｂ）内側のカードホルダーの接着部（１９）で溶着又は接着してある。
（ヌ）図１０図１１に示すように、カバー（１２）は表表紙（１２ａ）背表紙（１２ｂ）      裏表紙（１２ｃ）天板（１２ｄ）押え部（１２ｅ）が一体して形成され、薬収納構      造（Ｂ）とカードホルダー（１３）を内側に包み込む形式で曲折部（２０）を折り      曲げ、箱状に折りたたみ、押え部（１２ｅ）に装着されたカバー止め具（２１）を      表表紙（１２ａ）に装着された受け具（２２）に挿入し接合する事により薬収納構      造（Ｂ）とカードホルダー（１３）を一体化した形で保持し安全に携帯出来る。【００１２】  本発明は以上のような構造で、発明を使用する時は薬収納構造（Ｂ）に救急薬などの薬を入れ、カードホルダー（１３）には診察券等を入れておき、首から下げる等して分かり易い方法で身に着けて日常生活時や外出時などに携帯する事により、救急事態が起きた時に薬を迅速に取り出し、救急事態に対処出来る。
又、見ず知らずの他人の世話にならざるを得ない時でも目に付くような形で携帯することにより、薬剤や診察券の在り処がすぐに分かり、適切な対応が期待でき、外出する時も心配なく外出することが出来る。
【実施例３】
【００１３】  実施例３として次のようにすることが出来る。
（イ）救急薬を入れる薬収納機能と病院の診察券や健康保険証等を入れるカード収納機能      を一体化して備えた平面型の本体（Ｅ）図１５である。
（ロ）図１６に示す様に、平面型の本体（Ｅ）図１５の収納部（Ｆ）は救急薬等の薬剤を      入れる薬入れ部（２３）と、病院の診察券や健康保険証等を入れるカード入れ部（      ２４）に区分け板（２５）で仕切られており、同一面より薬と病院の診察券や健康      保険証等のカードの出し入れが出来るようになっている。
（ハ）図１５図１６に示すように、平面型の本体（Ｅ）の蓋である表フタ（２ｃ）は、蝶      番部（８ｄ）を介して開閉可能である。
平面型の本体（Ｅ）と、平面型の本体（Ｅ）の蓋である表フタ（２ｃ）の開閉部は      、止め具（３ｄ）で収納部（Ｆ）に止めるようになっている。
（ニ）救急薬等の薬を入れる薬入れ部（２３）には、薬を取り出すのに開閉が容易なよう      に先端を内方向に曲折させた押さえ部を有する薬入れフタ（２６）を設けている。
（ホ）カード入れ部（２４）にはカードを取り出し易くするために、カードの取り出し口      （２７）に近い部分の底面に板状のバネ（１０ｂ）を設けてある。
（ヘ）板状のバネ（１０ｂ）は、弾性を利用して板状のバネ（１０ｂ）の上に乗っている      カードの縁を上に押し上げる機能を有し、表フタ（２ｃ）を開けた時にカードの取      り出し口（２７）に近い部分のカードの縁が、板状のバネ（１０ｂ）により少し持      ち上がり、カードを楽に取り出せるようにしてある。【００１４】  本発明は以上のような構造で、本発明を使用する時は平面型の本体（Ｅ）の薬入れ部（２３）に救急薬などの薬剤を入れ、カード入れ部（２４）には診察券等を入れておき、首から下げる等の分かり易い方法で身に着けて日常生活時や外出時などに携帯する事により、救急事態が起きた時に薬剤を迅速に取り出し、救急事態に対処出来る。
又、見ず知らずの他人の世話にならざるを得ない時でも目に付くような形で携帯することにより、薬剤や診察券の在り処がすぐに分かり、適切な対応が期待でき、外出する時も心配なく外出することが出来る。
【図面の簡単な説明】
【００１７】
【図１】本発明の斜視図である
【図２】本発明の断面図である
【図３】薬収納構造側から見た外観斜視図である
【図４】薬収納構造側から見た正面図である
【図５】薬収納構造側から見た正面図である
【図６】カード収納構造側から見た外観斜視図である
【図７】カード収納構造側から見た正面図である
【図８】カード収納構造の断面図である
【図９】カード収納構造の断面図である
【図１０】本発明の実施例２の斜視図である
【図１１】本発明の実施例２の斜視図である
【図１２】本発明の実施例２の薬収納構造の斜視図である
【図１３】本発明の実施例２のカードホルダーの斜視図である
【図１４】本発明の実施例２のカードホルダーの断面図である
【図１５】本発明の実施例３の斜視図である
【図１６】本発明の表フタを開いた時の斜視図である
【符号の説明】
【００１８】  Ａ    本体
Ｂ    薬収納構造
Ｃ    カード収納構造
Ｄ    ブックカバー状の本体
Ｅ    平面型の本体
Ｆ    収納部
１    隔壁
２    表フタ
３    止め具
４    小容器
５    仕切板
６    内フタ
７    裏フタ
８    蝶番部
９    縁板
１０    バネ
１１    カード取出し口
１２    カバー
１２ａ  表表紙
１２ｂ  背表紙
１２ｃ  裏表紙
１２ｄ  天板
１２ｅ  押え部
１３    カードホルダー
１４    カード
１５    カード差込口
１６    底部
１７    カード収納部
１８    下縁
１９    接着部
２０    曲折部
２１    カバー止め具
２２    受け具
２３    薬入れ部
２４    カード入れ部
２５    区分け板
２６    薬入れフタ
２７    取り出し口
【図１】
2007054585.tif 000003
【図２】
2007054585.tif 000004
【図３】
2007054585.tif 000005
【図４】
2007054585.tif 000006
【図５】
2007054585.tif 000007
【図６】
2007054585.tif 000008
【図７】
2007054585.tif 000009
【図８】
2007054585.tif 000010
【図９】
2007054585.tif 000011
【図１０】
2007054585.tif 000012
【図１１】
2007054585.tif 000013
【図１２】
2007054585.tif 000014
【図１３】
2007054585.tif 000015
【図１４】
2007054585.tif 000016
【図１５】
2007054585.tif 000017
【図１６】
2007054585.tif 000018